(57)【要約】【課題】容器本体の傾倒に伴って注出される内容液の脈動を抑制できる注出容器を提案する。【解決手段】本発明の注出容器は、容器本体１０を傾倒姿勢に変位させて注出キャップ２０から内容液を注出させるものであり、容器本体１０は、その内側に内容液の収容空間Ｍを有する減容変形自在な内層体１１と、容器本体１０の外殻をなし内層体１１を内側に収めるとともに内層体１１との相互間と外界とが常時連通する外気導入孔を備える外層体とからなり、注出キャップ２０は、収容空間Ｍと外界とが注出時に常時連通する注出口２４ａを有することを特徴とする。【選択図】図１
2015030482.tif 000002
【特許請求の範囲】
【請求項１】
内容液を収容する容器本体と該容器本体の口部に装着される注出キャップとを備え、該容器本体を傾倒姿勢に変位させて該注出キャップから内容液を注出させる注出容器であって、
前記容器本体は、その内側に内容液の収容空間を有する減容変形自在な内層体と、該容器本体の外殻をなし該内層体を内側に収めるとともに該内層体との相互間と外界とが常時連通する外気導入孔を備える外層体とからなり、
前記注出キャップは、該収容空間と外界とが注出時に常時連通する注出口を有する注出容器。
【請求項２】
前記注出キャップは、前記口部を覆う天壁に設けた貫通開口を有し該貫通開口の縁部から起立する注出筒の上部開口を前記注出口とするキャップ本体と、該キャップ本体にヒンジを介して連結する蓋体とを有し、該蓋体に、該注出筒内に挿入されて該注出筒を閉鎖するシール筒及び該ヒンジに対して対向配置となる指掛け部を設けた請求項１に記載の注出容器。
【発明の詳細な説明】
【技術分野】
【０００１】
本発明は、内容液を収容する容器本体と、この容器本体の口部に装着される注出キャップとを備え、容器本体を傾倒させて注出キャップから内容液を注出させる注出容器に関するものである。
【背景技術】
【０００２】
従来、化粧水等の化粧料や醤油等の食品調味料を内容液として収容し、使用時に傾倒させることで内容液の注出を可能とする容器としては、例えば、内容液を収容する容器本体の口部に、特許文献１に示されるような注出キャップを装着した注出容器が既知である。
【先行技術文献】
【特許文献】
【０００３】
【特許文献１】特開平９−１６９３５５号公報
【発明の概要】
【発明が解決しようとする課題】
【０００４】
ところでこのような注出容器においては、容器本体を傾倒させた際、収容した内容液と外界の空気とが置換されることで内容液が注出されるが、例えば特許文献１に示されるような小径の注出筒にあっては、内容液と空気とのスムーズな置換が難しく、注出する内容液が脈動して周囲に飛び散ることがあるため、使い勝手の点で課題を残している。
【０００５】
本発明の目的は、容器本体の傾倒に伴って注出される内容液の脈動を防止することができる、新たな注出容器を提案するところにある。
【課題を解決するための手段】
【０００６】
本発明は、内容液を収容する容器本体と該容器本体の口部に装着される注出キャップとを備え、該容器本体を傾倒姿勢に変位させて該注出キャップから内容液を注出させる注出容器であって、
前記容器本体は、その内側に内容液の収容空間を有する減容変形自在な内層体と、該容器本体の外殻をなし該内層体を内側に収めるとともに該内層体との相互間と外界とが常時連通する外気導入孔を備える外層体とからなり、
前記注出キャップは、該収容空間と外界とが注出時に常時連通する注出口を有する注出容器である。
【０００７】
ここで、「（外層体と）内層体との相互間と外界とが常時連通する外気導入孔」とは、内容液の注出に係る間、外気導入孔が開いたままであることを意味するものであり、例えば（外層体と）内層体との相互間から外界へ空気が逃げるのを防止する空気用逆止弁は設けられていないことを意図する。また、「収容空間と外界とが注出時に常時連通する注出口」も同様であり、内容液の注出に係る間、注出口は開いたままであって、例えば内層体内に外界から空気が入り込むことを防止する液用逆止弁は設けられていないことを意図する。
【０００８】
前記注出キャップは、前記口部を覆う天壁に設けた貫通開口を有し該貫通開口の縁部から起立する注出筒の上部開口を前記注出口とするキャップ本体と、該キャップ本体にヒンジを介して連結する蓋体とを有し、該蓋体に、該注出筒内に挿入されて該注出筒を閉鎖するシール筒及び該ヒンジに対して対向配置となる指掛け部を設けることが好ましい。
【発明の効果】
【０００９】
上述の構成となる注出容器によれば、内容液を収容する内層体は減容変形自在であって内容液の注出に伴って容積が小さくなるため、外気との置換無しに内容液を注出させることができ、内容液の脈動が防止される。
【００１０】
また注出キャップの蓋体に、注出筒内に挿入されて注出筒を閉鎖するシール筒及びヒンジに対して対向配置となる指掛け部を設ける場合は、不使用時において内容液が意図せず注出される不具合を防止でき、また、使用時には片手で蓋体を開くことができるので、使い勝手がよくなる。
【図面の簡単な説明】
【００１１】
【図１】本発明に従う注出容器の一実施形態を示す図であり、起立姿勢の注出容器を側面視にて一部断面で示している。
【図２】図１の注出容器を傾倒姿勢に変位させて内容液が注出される状態を示す図である。
【図３】図２の注出容器を起立姿勢に戻した状態を示す図である。
【発明を実施するための形態】
【００１２】
以下、図面を参照して、本発明をより具体的に説明する。図１は、本発明に従う注出容器の一実施形態を示す図であり、起立姿勢の注出容器を側面視にて一部断面で示している。なお、本願明細書、特許請求の範囲、要約書、及び図面において「上」方向、「下」方向とは、注出容器の起立姿勢での向きを指す。
【００１３】
図１において、符号１は、本発明の注出容器の一実施形態を示す。注出容器１は、内容液を収容する容器本体１０と容器本体１０の口部に装着される注出キャップ２０とを備えていて、注出キャップ２０には、内容液を注出する注出口が設けられている。
【００１４】
容器本体１０は、内容液の収容空間Ｍを有する減容変形自在な内層体１１と、容器本体１０の外殻をなし内層体１１を内側に収める外層体１２を備えている。本実施形態において外層体１２は、円形状となる底部１３の縁部から円筒状となる胴部１４を起立させるとともに、胴部１４の上部に、径方向内側に向けて縮径する肩部１５を介して容器本体１０の口部となる円筒状の口頸部１６が一体に連結されている。口頸部１６の外周面には、ねじ部１６ａが設けられている。また外層体１２には、図示は省略するが内層体１１との相互間と外界とを常時連通させる貫通孔（外気導入孔）が設けられている。なお、常時連通させるとは、内容液の注出に係る間（起立姿勢の容器本体１０を傾倒姿勢にして内容液を注出した後、再び起立姿勢に戻して収容空間Ｍ内の内容液が元の状態に戻るまで）は外気導入孔が開いたままであることを意味するものであり、例えば内層体１１と外層体１２との相互間から外界へ空気が逃げるのを防止する逆止弁は設けられていないことを意図する。
【００１５】
本実施形態における容器本体１０は、減容変形可能な薄肉の合成樹脂により形成される内層体１１と、内層体１１に対して相溶性が低い合成樹脂により形成される外層体１２とを積層させたものであり、これらの合成樹脂素材を積層して形成したパリソンを、ブロー成形することによって得られたものである。また、外気導入孔は、ブロー成形時に外層体１２の底部１３に形成される内層体１１と外層体１２との合わせ目（底シール部）に対し、外部から押圧力を作用させる等によって形成される底割れ状の間隙によって形成している。なお、容器本体１０は、予め内層体１１及び外層体１２を個別に形成しておき、その後、内層体１１を外層体１２内に装着するようにしたものでもよい。また、外気導入孔は底割れ状の間隙を利用するものに限られず、胴部１４や口頸部１６に貫通孔を形成するようにしてもよい。
【００１６】
注出キャップ２０は、口頸部１６に装着されるキャップ本体２１を備えている。キャップ本体２１は、口頸部１６を取り囲む円筒状の外周壁２２を有していて、外周壁２２の内周面には、口頸部１６のねじ部１６ａに係合するねじ部２２ａを設けている。なお、キャップ本体２１を口頸部１６に装着するには、これらのねじ部に代えてアンダーカットを利用してもよい。また外周壁２２の上端には、口頸部１６を覆う天壁２３が一体に連結していて、容器本体１０の中心軸線Ｏから径方向外側にずれた位置に貫通開口２３ａが設けられている。更に貫通開口２３ａの縁部には、上方に向けて起立してその上端を径方向外側に湾曲させてリップを形成する略円筒状の注出筒２４が設けられていて、注出筒２４の上部には、内容液の注出口として、収容空間Ｍと外界とが常時連通する上部開口２４ａが設けられる。ここで、常時連通するとは、上述した外気導入孔と同様、内容液の注出に係る間（蓋体２７が開放されている間）は上部開口２４ａが開いたままであることを意味し、収容空間Ｍから上部開口２４ａの間に液用逆止弁等は設けられていないことを意図する。
【００１７】
更に注出キャップ２０は、中心軸線Ｏを挟んで注出筒２４の反対側に、キャップ本体２１の外周壁２２に一体に連結するヒンジ２６を有していて、ヒンジ２６には蓋体２７が一体に連結されている。蓋体２７は、キャップ本体２１の外周壁２２に連なる外壁２８と、外壁２８の上端で一体に連結するとともに注出筒２４を覆う頂壁２９を備えていて、頂壁２９の下面には、注出筒２４に挿入されてその内周面と液密に当接するシール筒２９ａが設けられている。また外壁２８において、中心軸線Ｏを挟んでヒンジ２６と反対側（ヒンジ２６に対して対向配置となる部位）には、蓋体２７を開く際に指掛かりとなる指掛け部２８ａが設けられている。
【００１８】
上記のように構成される注出容器１から内容液を吐出するに当たっては、まず図２に示すように蓋体２７を開いておく。蓋体２７を開くに当っては、親指を指掛け部２８ａにあてがうとともに残りの指や掌で容器本体１０を把持し、親指を上方へ持ち上げることで、蓋体２７を片手で開くことができる。その後、注出容器１を傾倒姿勢に変位させることで、収容空間Ｍ内の内容液は、それ自身の自重によって貫通開口２３ａを通り抜けて注出筒２４の内側に流入し、上部開口２４ａから注出される。ここで内層体１１は減容変形自在であるので、内容液は外気との置換なく注出されることになる。すなわち、注出筒２４が小径であっても内容液の脈動を防止することができる。なお、外層体１２には外気導入孔（本実施形態では、図示を省略した底割れ状の間隙）が設けられているので、内層体１１が減容変形しても、内層体１１と外層体１２との相互間には外気が入り込むため、内層体１１の減容変形が阻害されることはない
【００１９】
内容液の注出が終了した後、容器本体１０を図３に示すように元の起立姿勢に戻すと、収容空間Ｍ内の内容液は、容器本体１０の姿勢変更に応じて注出キャップ２０側から外層体１２の底部１３側へ流動するため、この際、減容変形した内層体１１を復元させるように作用する。これにより外気が、注出筒２４の上部開口２４ａから収容空間Ｍに引き込まれるため、上部開口２４ａに付着していた残留内容液を、外気とともに注出筒２４の内側に引き込む（残留内容液の垂れ落ち防止）ことができる。
【００２０】
なお、不使用時においては蓋体２７を閉じることで、シール筒２９ａが注出筒２４の内周面と液密に当接するので、内容液が意図せず注出される不具合を防止することができる。また、蓋体２７を閉じる操作も片手で行うことができる。
【００２１】
本発明に従う注出容器は、上述した実施形態に限定されるものではなく、特許請求の範囲に従う範囲で種々の変更が可能である。上述した実施形態では、外層体と内層体とを押出成形した積層パリソンをブロー成形して得られた積層剥離容器（所謂、デラミ容器）を使用し、外層体に底割れ状の間隙や貫通孔を設けてこれを外気導入孔としたが、例えば、外層体と内層体とを個別に成形したのち、それらを組み合わせた二重容器を使用する場合には、外層体の口頸部とキャップ本体の外周壁との相互間に空気の通る通気路（例えば外層体やキャップ本体のねじ部を切り欠く溝や、螺合したねじ部間に形成される螺旋状の隙間）を設けるとともに、外層体の口頸部及び内層体の口頸部の少なくとも一方に、他方に対向する突起または溝を設け、通気路からの空気を、この突起周辺に形成される隙間または溝を外気導入路として、外層体と内層体との相互間に流入させることもできる。
【産業上の利用可能性】
【００２２】
本発明によれば、容器本体の傾倒に伴って注出される内容液の脈動が小径の注出筒であっても抑制できるので、内容液が周囲に飛び散ることがなくなる使い勝手のよい注出容器を提供することができる。
【符号の説明】
【００２３】
１０  容器本体
１１  内層体
１２  外層体
１３  底部
１４  胴部
１５  肩部
１６  口頸部（口部）
１６ａ  ねじ部
２０  注出キャップ
２１  キャップ本体
２２  外周壁
２２ａ  ねじ部
２３  天壁
２３ａ  貫通開口
２４  注出筒
２４ａ  上部開口（注出口）
２５  シール壁
２６  ヒンジ
２７  蓋体
２８  外壁
２８ａ  指掛け部
２９  頂壁
２９ａ  シール筒
Ｍ    収容空間
Ｏ    外層体の中心軸線
【図１】
2015030482.tif 000003
【図２】
2015030482.tif 000004
【図３】
2015030482.tif 000005